(57)【要約】  マルチ周波数ネットワークにおけるＲＦチャネル切り替えのための方法及び装置。一態様において、方法はＶＭセット及びＵＭセットのうちの一方であってコンテンツフローを備える多重セットを識別することと、ＲＦ搬送波周波数をコンテンツフローに関連付けるオーバーヘッドメッセージを生成することと、マルチ周波数ネットワーク上でオーバーヘッドメッセージを送信することとを含む。装置はコンテンツフローをＲＦ搬送波周波数に関連付けるオーバーヘッドメッセージを受信するように構成される入力ロジックと、選択されたコンテンツフローを識別するチャネル切り替えイベントを検出し、オーバーヘッドメッセージに基づいて選択されたコンテンツフローに関連付けられた選択されたＲＦ搬送波周波数を判定し、選択されたコンテンツフローを受信するために選択されたＲＦ搬送波周波数に切り替えるように構成される処理ロジックとを含む。
2010522518.tif 000002
【特許請求の範囲】
【請求項１】
マルチ周波数ネットワークにおけるＲＦチャネル切り替えのための方法において、
垂直多重（ＶＭ）セット及び統合された多重（ＵＭ）セットのうちの一方であって１つまたは複数のコンテンツフローを備える多重セットを識別することと、
１つまたは複数のＲＦ搬送波周波数を前記１つまたは複数のコンテンツフローに夫々関連付ける、前記多重セットに関連する少なくとも１つのオーバーヘッドメッセージを生成することと、
前記マルチ周波数ネットワーク上で前記少なくとも１つのオーバーヘッドメッセージを送信することと
を具備する方法。
【請求項２】
前記生成することは、
前記多重セットが前記ＶＭセットであるならば、前記ＶＭセットにおけるコンテンツ多重に属するコンテンツフローをローカルオペレーションインフラストラクチャ（ＬＯＩ）の第１のセットに関連する１つまたは複数のＲＦチャネル識別子に夫々関連付けるフロー記述メッセージ（ＦＤＭ）を生成することと、
前記多重セットが前記ＵＭセットであるならば、前記ＵＭセットにおけるコンテンツ多重に属するコンテンツフローをＬＯＩの第２のセットに関連する１つまたは複数のＲＦチャネル識別子に夫々関連付ける、統合されたフロー記述メッセージ（ＵＦＤＭ）を生成することと
を具備する、請求項１の方法。
【請求項３】
前記生成することは、
前記多重セットが前記ＶＭセットであるならば、前記１つまたは複数のＲＦ搬送波周波数をＬＯＩの第１のセットに関連する１つまたは複数のＲＦチャネル識別子に夫々関連付けるＲＦ記述メッセージ（ＲＤＭ）を生成することと、
前記多重セットが前記ＵＭセットであるならば、前記１つまたは複数のＲＦ搬送波周波数をＬＯＩの第２のセットに関連する１つまたは複数のＲＦチャネル識別子に夫々関連付ける、統合されたＲＦ記述メッセージ（ＵＲＤＭ）を生成することと
を具備する、請求項１の方法。
【請求項４】
前記送信することは、ワイド制御チャネル及びローカル制御チャネルの少なくとも一方でＦＤＭ、ＵＦＤＭ、ＲＤＭ及びＵＲＤＭのうち少なくとも１つを送信することを具備する、請求項１の方法。
【請求項５】
マルチ周波数ネットワークにおけるＲＦチャネル切り替えのための装置において、
垂直多重（ＶＭ）セット及び統合された多重（ＵＭ）セットのうちの一方であって１つまたは複数のコンテンツフローを備える少なくとも１つの多重セットを識別するように構成される多重セット生成器と、
１つまたは複数のＲＦ搬送波周波数を前記１つまたは複数のコンテンツフローに夫々関連付ける、前記多重セットに関連する少なくとも１つのオーバーヘッドメッセージを生成するように構成されるメッセージングロジックと、
前記マルチ周波数ネットワーク上で前記少なくとも１つのオーバーヘッドメッセージを送信するように構成される出力ロジックと
を具備する装置。
【請求項６】
前記メッセージングロジックは、
前記多重セットが前記ＶＭセットであるならば、前記ＶＭセットにおけるコンテンツ多重に属するコンテンツフローをローカルオペレーションインフラストラクチャ（ＬＯＩ）の第１のセットに関連する１つまたは複数のＲＦチャネル識別子に夫々関連付けるフロー記述メッセージ（ＦＤＭ）を生成し、
前記多重セットが前記ＵＭセットであるならば、前記ＵＭセットにおけるコンテンツ多重に属するコンテンツフローをＬＯＩの第２のセットに関連する１つまたは複数のＲＦチャネル識別子に夫々関連付ける、統合されたフロー記述メッセージ（ＵＦＤＭ）を生成する
ように構成される、請求項５の装置。
【請求項７】
前記メッセージングロジックは、
前記多重セットが前記ＶＭセットであるならば、前記１つまたは複数のＲＦ搬送波周波数をＬＯＩの第１のセットに関連する１つまたは複数のＲＦチャネル識別子に夫々関連付けるＲＦ記述メッセージ（ＲＤＭ）を生成し、
前記多重セットが前記ＵＭセットであるならば、前記１つまたは複数のＲＦ搬送波周波数をＬＯＩの第２のセットに関連する１つまたは複数のＲＦチャネル識別子に夫々関連付ける、統合されたＲＦ記述メッセージ（ＵＲＤＭ）を生成する
ように構成される、請求項５の装置。
【請求項８】
前記出力ロジックは、ワイド制御チャネル及びローカル制御チャネルの少なくとも一方でＦＤＭ、ＵＦＤＭ、ＲＤＭ及びＵＲＤＭのうち少なくとも１つを送信するように構成される、請求項５の装置。
【請求項９】
マルチ周波数ネットワークにおけるＲＦチャネル切り替えのための装置において、
垂直多重（ＶＭ）セット及び統合された多重（ＵＭ）セットのうちの一方であって１つまたは複数のコンテンツフローを備える多重セットを識別するための手段と、
１つまたは複数のＲＦ搬送波周波数を前記１つまたは複数のコンテンツフローに夫々関連付ける、前記多重セットに関連する少なくとも１つのオーバーヘッドメッセージを生成するための手段と、
前記マルチ周波数ネットワーク上で前記少なくとも１つのオーバーヘッドメッセージを送信するための手段と
を具備する装置。
【請求項１０】
前記生成するための手段は、
前記多重セットが前記ＶＭセットであるならば、前記ＶＭセットにおけるコンテンツ多重に属するコンテンツフローをローカルオペレーションインフラストラクチャ（ＬＯＩ）の第１のセットに関連する１つまたは複数のＲＦチャネル識別子に夫々関連付けるフロー記述メッセージ（ＦＤＭ）を生成するための手段と、
前記多重セットが前記ＵＭセットであるならば、前記ＵＭセットにおけるコンテンツ多重に属するコンテンツフローをＬＯＩの第２のセットに関連する１つまたは複数のＲＦチャネル識別子に夫々関連付ける、統合されたフロー記述メッセージ（ＵＦＤＭ）を生成するための手段と
を具備する、請求項９の装置。
【請求項１１】
前記生成するための手段は、
前記多重セットが前記ＶＭセットであるならば、前記１つまたは複数のＲＦ搬送波周波数をＬＯＩの第１のセットに関連する１つまたは複数のＲＦチャネル識別子に夫々関連付けるＲＦ記述メッセージ（ＲＤＭ）を生成するための手段と、
前記多重セットが前記ＵＭセットであるならば、前記１つまたは複数のＲＦ搬送波周波数をＬＯＩの第２のセットに関連する１つまたは複数のＲＦチャネル識別子に夫々関連付ける、統合されたＲＦ記述メッセージ（ＵＲＤＭ）を生成するための手段と
を具備する、請求項９の装置。
【請求項１２】
前記送信するための手段は、ワイド制御チャネル及びローカル制御チャネルの少なくとも一方でＦＤＭ、ＵＦＤＭ、ＲＤＭ及びＵＲＤＭのうち少なくとも１つを送信するための手段を備える、請求項９の装置。
【請求項１３】
マルチ周波数ネットワークにおけるＲＦチャネル切り替えのためのコンピュータプログラム製品において、
コンピュータに、垂直多重（ＶＭ）セット及び統合された多重（ＵＭ）セットのうちの一方であって１つまたは複数のコンテンツフローを備える少なくとも１つの多重を識別させるための、コードの第１のセットと、
前記コンピュータに、１つまたは複数のＲＦ搬送波周波数を前記１つまたは複数のコンテンツフローに夫々関連付ける、前記多重セットに関連する少なくとも１つのオーバーヘッドメッセージを生成させるための、コードの第２のセットと、
前記コンピュータに、前記マルチ周波数ネットワーク上で前記少なくとも１つのオーバーヘッドメッセージを送信させるための、コードの第３のセットと
を具体化する機械可読媒体
を備える、コンピュータプログラム製品。
【請求項１４】
前記コードの第２のセットは、前記コンピュータに、
前記多重セットが前記ＶＭセットであるならば、前記ＶＭセットにおけるコンテンツ多重に属するコンテンツフローをローカルオペレーションインフラストラクチャ（ＬＯＩ）の第１のセットに関連する１つまたは複数のＲＦチャネル識別子に夫々関連付けるフロー記述メッセージ（ＦＤＭ）を生成させ、
前記多重セットが前記ＵＭセットであるならば、前記ＵＭセットにおけるコンテンツ多重に属するコンテンツフローをＬＯＩの第２のセットに関連する１つまたは複数のＲＦチャネル識別子に夫々関連付ける、統合されたフロー記述メッセージ（ＵＦＤＭ）を生成させる
ように構成される、請求項１３の機械可読媒体。
【請求項１５】
前記コードの第２のセットは、前記コンピュータに、
前記多重セットが前記ＶＭセットであるならば、前記１つまたは複数のＲＦ搬送波周波数をＬＯＩの第１のセットに関連する１つまたは複数のＲＦチャネル識別子に夫々関連付けるＲＦ記述メッセージ（ＲＤＭ）を生成させ、
前記多重セットが前記ＵＭセットであるならば、前記１つまたは複数のＲＦ搬送波周波数をＬＯＩの第２のセットに関連する１つまたは複数のＲＦチャネル識別子に夫々関連付ける、統合されたＲＦ記述メッセージ（ＵＲＤＭ）を生成させる
ように構成される、請求項１３の機械可読媒体。
【請求項１６】
前記コードの第３のセットは、前記コンピュータに、ワイド制御チャネル及びローカル制御チャネルの少なくとも一方でＦＤＭ、ＵＦＤＭ、ＲＤＭ及びＵＲＤＭのうち少なくとも１つを送信させるように構成される、請求項１３の機械可読媒体。
【請求項１７】
マルチ周波数ネットワークにおけるＲＦチャネル切り替えを提供するように構成される少なくとも１つの集積回路において、
垂直多重（ＶＭ）セット及び統合された多重（ＵＭ）セットのうちの一方であって１つまたは複数のコンテンツフローを備える少なくとも１つの多重セットを識別するための第１のモジュールと、
１つまたは複数のＲＦ搬送波周波数を前記１つまたは複数のコンテンツフローに夫々関連付ける、前記多重セットに関連する少なくとも１つのオーバーヘッドメッセージを生成するための第２のモジュールと、
前記マルチ周波数ネットワーク上で前記少なくとも１つのオーバーヘッドメッセージを送信するための第３のモジュールと
を具備する少なくとも１つの集積回路。
【請求項１８】
前記第２のモジュールは、
前記多重セットが前記ＶＭセットであるならば、前記ＶＭセットにおけるコンテンツ多重に属するコンテンツフローをローカルオペレーションインフラストラクチャ（ＬＯＩ）の第１のセットに関連する１つまたは複数のＲＦチャネル識別子に夫々関連付けるフロー記述メッセージ（ＦＤＭ）を生成し、
前記多重セットが前記ＵＭセットであるならば、前記ＵＭセットにおけるコンテンツ多重に属するコンテンツフローをＬＯＩの第２のセットに関連する１つまたは複数のＲＦチャネル識別子に夫々関連付ける、統合されたフロー記述メッセージ（ＵＦＤＭ）を生成する
ように構成される、請求項１７の少なくとも１つの集積回路。
【請求項１９】
前記第２のモジュールは、
前記多重セットが前記ＶＭセットであるならば、前記１つまたは複数のＲＦ搬送波周波数をＬＯＩの第１のセットに関連する１つまたは複数のＲＦチャネル識別子に夫々関連付けるＲＦ記述メッセージ（ＲＤＭ）を生成し、
前記多重セットが前記ＵＭセットであるならば、前記１つまたは複数のＲＦ搬送波周波数をＬＯＩの第２のセットに関連する１つまたは複数のＲＦチャネル識別子に夫々関連付ける、統合されたＲＦ記述メッセージ（ＵＲＤＭ）を生成する
ように構成される、請求項１７の少なくとも１つの集積回路。
【請求項２０】
前記第３のモジュールは、ワイド制御チャネル及びローカル制御チャネルの少なくとも一方でＦＤＭ、ＵＦＤＭ、ＲＤＭ及びＵＲＤＭのうち少なくとも１つを送信するように構成される、請求項１７の少なくとも１つの集積回路。
【請求項２１】
マルチ周波数ネットワークにおけるＲＦチャネル切り替えのための方法において、
１つまたは複数のコンテンツフローを１つまたは複数のＲＦ搬送波周波数に夫々関連付ける少なくとも１つのオーバーヘッドメッセージを受信することと、
選択されたコンテンツフローを識別するチャネル切り替えイベントを検出することと、
前記少なくとも１つのオーバーヘッドメッセージに基づいて、前記選択されたコンテンツフローに関連付けられた、選択されたＲＦ搬送波周波数を判定することと、
前記選択されたコンテンツフローを受信するために前記選択されたＲＦ搬送波周波数に切り替えることと
を具備する方法。
【請求項２２】
前記受信することは、
フロー記述メッセージ（ＦＤＭ）及び統合されたフロー記述メッセージ（ＵＦＤＭ）の少なくとも一方を受信することと、
ＲＦ記述メッセージ（ＲＤＭ）及び統合されたＲＦ記述メッセージ（ＵＲＤＭ）の少なくとも一方を受信することと
を具備する、請求項２１の方法。
【請求項２３】
前記判定することは、
選択されたＲＦチャネル識別子を判定するために前記ＦＤＭを用いて前記選択されたコンテンツフローに相互参照をつけることと、
前記選択されたＲＦ搬送波周波数を判定するために前記ＲＤＭを用いて前記選択されたＲＦチャネル識別子に相互参照をつけることと
を具備する、請求項２２の方法。
【請求項２４】
前記判定することは、
選択されたＲＦチャネル識別子を判定するために前記ＵＦＤＭを用いて前記選択されたコンテンツフローに相互参照をつけることと、
前記選択されたＲＦ搬送波周波数を判定するために前記ＵＲＤＭを用いて前記選択されたＲＦチャネル識別子に相互参照をつけることと
を具備する、請求項２２の方法。
【請求項２５】
前記受信することは、ワイド制御チャネル及びローカル制御チャネルの少なくとも一方で前記少なくとも１つのオーバーヘッドメッセージを受信することを具備する、請求項２１の方法。
【請求項２６】
マルチ周波数ネットワークにおけるＲＦチャネル切り替えのための装置において、
１つまたは複数のコンテンツフローを１つまたは複数のＲＦ搬送波周波数に夫々関連付ける少なくとも１つのオーバーヘッドメッセージを受信するように構成される入力ロジックと、
選択されたコンテンツフローを識別するチャネル切り替えイベントを検出し、前記少なくとも１つのオーバーヘッドメッセージに基づいて、前記選択されたコンテンツフローに関連付けられた、選択されたＲＦ搬送波周波数を判定し、前記選択されたコンテンツフローを受信するために前記選択されたＲＦ搬送波周波数に切り替えるように構成される処理ロジックと
を具備する装置。
【請求項２７】
前記入力ロジックは、
フロー記述メッセージ（ＦＤＭ）及び統合されたフロー記述メッセージ（ＵＦＤＭ）の少なくとも一方を受信し、
ＲＦ記述メッセージ（ＲＤＭ）及び統合されたＲＦ記述メッセージ（ＵＲＤＭ）の少なくとも一方を受信する
ように構成される、請求項２６の装置。
【請求項２８】
前記処理ロジックは、
選択されたＲＦチャネル識別子を判定するために前記ＦＤＭを用いて前記選択されたコンテンツフローに相互参照をつけ、
前記選択されたＲＦ搬送波周波数を判定するために前記ＲＤＭを用いて前記選択されたＲＦチャネル識別子に相互参照をつける
ように構成される、請求項２７の装置。
【請求項２９】
前記処理ロジックは、
選択されたＲＦチャネル識別子を判定するために前記ＵＦＤＭを用いて前記選択されたコンテンツフローに相互参照をつけ、
前記選択されたＲＦ搬送波周波数を判定するために前記ＵＲＤＭを用いて前記選択されたＲＦチャネル識別子に相互参照をつける
ように構成される、請求項２７の装置。
【請求項３０】
前記入力ロジックは、ワイド制御チャネル及びローカル制御チャネルの少なくとも一方で前記少なくとも１つのオーバーヘッドメッセージを受信するように構成される、請求項２６の装置。
【請求項３１】
マルチ周波数ネットワークにおけるＲＦチャネル切り替えのための装置において、
１つまたは複数のコンテンツフローを１つまたは複数のＲＦ搬送波周波数に夫々関連付ける少なくとも１つのオーバーヘッドメッセージを受信するための手段と、
選択されたコンテンツフローを識別するチャネル切り替えイベントを検出するための手段と、
前記少なくとも１つのオーバーヘッドメッセージに基づいて、前記選択されたコンテンツフローに関連付けられた、選択されたＲＦ搬送波周波数を判定するための手段と、
前記選択されたコンテンツフローを受信するために前記選択されたＲＦ搬送波周波数に切り替えるための手段と
を具備する装置。
【請求項３２】
前記受信するための手段は、
フロー記述メッセージ（ＦＤＭ）及び統合されたフロー記述メッセージ（ＵＦＤＭ）の少なくとも一方を受信するための手段と、
ＲＦ記述メッセージ（ＲＤＭ）及び統合されたＲＦ記述メッセージ（ＵＲＤＭ）の少なくとも一方を受信するための手段と
を具備する、請求項３１の装置。
【請求項３３】
前記判定するための手段は、
選択されたＲＦチャネル識別子を判定するために前記ＦＤＭを用いて前記選択されたコンテンツフローに相互参照をつけるための手段と、
前記選択されたＲＦ搬送波周波数を判定するために前記ＲＤＭを用いて前記選択されたＲＦチャネル識別子に相互参照をつけるための手段と
を具備する、請求項３２の装置。
【請求項３４】
前記判定するための手段は、
選択されたＲＦチャネル識別子を判定するために前記ＵＦＤＭを用いて前記選択されたコンテンツフローに相互参照をつけるための手段と、
前記選択されたＲＦ搬送波周波数を判定するために前記ＵＲＤＭを用いて前記選択されたＲＦチャネル識別子に相互参照をつけるための手段と
を具備する、請求項３２の装置。
【請求項３５】
前記受信するための手段は、ワイド制御チャネル及びローカル制御チャネルの少なくとも一方で前記少なくとも１つのオーバーヘッドメッセージを受信するための手段を具備する、請求項３１の装置。
【請求項３６】
マルチ周波数ネットワークにおけるＲＦチャネル切り替えのためのコンピュータプログラム製品において、
コンピュータに、１つまたは複数のコンテンツフローを１つまたは複数のＲＦ搬送波周波数に夫々関連付ける少なくとも１つのオーバーヘッドメッセージを受信させるための、コードの第１のセットと、
前記コンピュータに、選択されたコンテンツフローを識別するチャネル切り替えイベントを検出させるための、コードの第２のセットと、
前記コンピュータに、前記少なくとも１つのオーバーヘッドメッセージに基づいて、前記選択されたコンテンツフローに関連付けられた、選択されたＲＦ搬送波周波数を判定させるための、コードの第３のセットと、
前記コンピュータに、前記選択されたコンテンツを受信するために前記選択されたＲＦ搬送波周波数に切り替えさせるための、コードの第４のセットと
を具体化する機械可読媒体
を備える、コンピュータプログラム製品。
【請求項３７】
前記コードの第１のセットは、前記コンピュータに、
フロー記述メッセージ（ＦＤＭ）及び統合されたフロー記述メッセージ（ＵＦＤＭ）の少なくとも一方を受信させ、
ＲＦ記述メッセージ（ＲＤＭ）及び統合されたＲＦ記述メッセージ（ＵＲＤＭ）の少なくとも一方を受信させる
ように構成される、請求項３６の機械可読媒体。
【請求項３８】
前記コードの第３のセットは、前記コンピュータに、
選択されたＲＦチャネル識別子を判定するために前記ＦＤＭを用いて前記選択されたコンテンツフローに相互参照をつけさせて、
前記選択されたＲＦ搬送波周波数を判定するために前記ＲＤＭを用いて前記選択されたＲＦチャネル識別子に相互参照をつけさせる
ように構成される、請求項３７の機械可読媒体。
【請求項３９】
前記コードの第３のセットは、前記コンピュータに、
選択されたＲＦチャネル識別子を判定するために前記ＵＦＤＭを用いて前記選択されたコンテンツフローに相互参照をつけさせて、
前記選択されたＲＦ搬送波周波数を判定するために前記ＵＲＤＭを用いて前記選択されたＲＦチャネル識別子に相互参照をつけさせる
ように構成される、請求項３７の機械可読媒体。
【請求項４０】
前記コードの第１のセットは、前記コンピュータに、ワイド制御チャネル及びローカル制御チャネルの少なくとも一方で前記少なくとも１つのオーバーヘッドメッセージを受信させるように構成される、請求項３６の機械可読媒体。
【請求項４１】
マルチ周波数ネットワークにおけるＲＦチャネル切り替えを提供するように構成される少なくとも１つの集積回路において、
１つまたは複数のコンテンツフローを１つまたは複数のＲＦ搬送波周波数に夫々関連付ける少なくとも１つのオーバーヘッドメッセージを受信するための第１のモジュールと、
選択されたコンテンツフローを識別するチャネル切り替えイベントを検出するための第２のモジュールと、
前記少なくとも１つのオーバーヘッドメッセージに基づいて、前記選択されたコンテンツフローに関連付けられた、選択されたＲＦ搬送波周波数を判定するための第３のモジュールと、
前記選択されたコンテンツフローを受信するために前記選択されたＲＦ搬送波周波数に切り替える第４のモジュールと
を具備する少なくとも１つの集積回路。
【請求項４２】
前記第１のモジュールは、
フロー記述メッセージ（ＦＤＭ）及び統合されたフロー記述メッセージ（ＵＦＤＭ）の少なくとも一方を受信し、
ＲＦ記述メッセージ（ＲＤＭ）及び統合されたＲＦ記述メッセージ（ＵＲＤＭ）の少なくとも一方を受信する
ように構成される、請求項４１の少なくとも１つの集積回路。
【請求項４３】
前記第３のモジュールは、
選択されたＲＦチャネル識別子を判定するために前記ＦＤＭを用いて前記選択されたコンテンツフローに相互参照をつけて、
前記選択されたＲＦ搬送波周波数を判定するために前記ＲＤＭを用いて前記選択されたＲＦチャネル識別子に相互参照をつける
ように構成される、請求項４２の少なくとも１つの集積回路。
【請求項４４】
前記第３のモジュールは、
選択されたＲＦチャネル識別子を判定するために前記ＵＦＤＭを用いて前記選択されたコンテンツフローに相互参照をつけて、
前記選択されたＲＦ搬送波周波数を判定するために前記ＵＲＤＭを用いて前記選択されたＲＦチャネル識別子に相互参照をつける
ように構成される、請求項４２の少なくとも１つの集積回路。
【請求項４５】
前記第１のモジュールは、ワイド制御チャネル及びローカル制御チャネルの少なくとも一方で前記少なくとも１つのオーバーヘッドメッセージを受信するように構成される、請求項４１の少なくとも１つの集積回路。
【発明の詳細な説明】
【技術分野】
【０００１】
（米国特許法第１１９条の下の優先権の主張）  
本特許出願は、「ＦＬＯ垂直マルチ周波数ネットワークにおけるチャネル切り替えのための方法及び装置（Method and Apparatus for Channel Switching in a FLO Vertical Multi-Frequency Network）」と題され、２００７年３月２１日に出願され、本願の譲受人に譲渡され、本願明細書において参照によって明示的に組み込まれる、仮特許出願第６０／８９６，２５２号の優先権を主張する。
【０００２】
本願は、一般的にはデータネットワークの動作に関し、より具体的にはマルチ周波数ネットワークにおけるＲＦチャネル切り替えのための方法及び装置に関する。
【背景技術】
【０００３】
無線通信ネットワークなどのデータネットワークは、単一の端末のためにカスタマイズされたサービスと多数の端末に提供されるサービスとの間を交換しなければならない。例えば、多数のリソースの限られた携帯デバイス（加入者）へのマルチメディアコンテンツの分配は、複雑な問題である。故に、ネットワークオペレータ、コンテンツ小売業者及びサービスプロバイダにとって、高速かつ効率的なやり方で、及び、帯域の利用及び電力効率を増大させるようなやり方で、コンテンツ及び／またはその他のネットワークサービスを分配する方法を持つことは重要である。
【０００４】
マルチ周波数ネットワーク（ＭＦＮ）は、メディアコンテンツを送信するために複数の無線周波数（ＲＦ）（またはＲＦチャネル）が使用されるネットワークである。ＭＦＮの一類型は、異なるローカルエリアにおける異なるＲＦチャネル上で分配波形が送信される水平マルチ周波数ネットワーク（ＨＭＦＮ）である。同一のまたは異なるコンテンツが、そのようなローカルエリアにおける異なるＲＦチャネル上で搬送される分配波形の一部として送信されるだろう。ＭＦＮの別の類型は、ネットワークの容量（デバイス／エンドユーザへより多くのコンテンツを配信する能力に関して）を増大させる目的で独立した分配波形を送信するために、複数の無線周波数（ＲＦ）チャネルが所与のローカルエリア内で使用される垂直マルチ周波数ネットワーク（ＭＦＮ）である。ＭＦＮ配置は、特定のエリアではＶＭＦＮで、特定の別のエリアではＨＭＦＮで構成されてよい。
【０００５】
典型的なＶＭＦＮは、各々が視聴のためにデバイスユーザによって選択可能な１つまたは複数のコンテンツフローを備える複数の分配波形を備える。更に、受信機が送信されている個々のフローの特徴（例えば、伝送モード、リードソロモンコーディングなど）を判定することを可能にする情報が各分配波形に備えられる。この情報は、別個の制御チャネルに含まれてよい。受信機は、特定の分配波形によって搬送されるフローをデコードするよりも前に、これらの特徴を知る必要があり、即ち、制御チャネルをデコードする必要がある。
【０００６】
故に、前述のＶＭＦＮの事例を仮定すれば、２つの独立した分配波形が異なるＲＦチャネル上で利用可能であることが想定されるだろう。付加的なフローを受信するために第１のＲＦチャネルから第２のＲＦチャネルへ切り替える受信機は、第２のＲＦチャネル上で制御チャネルを獲得しなければならないことによる遅延を被るだろう。受信機が一度そうすれば、受信機は第２のＲＦチャネル上のフローのデコードを開始するために必要とされる情報をデコードできる。不幸にも、第２のＲＦチャネルに切り替え、制御チャネル情報を獲得するためにかかる時間は、デバイスユーザによって知覚されるチャネル切り替え時間を増大させるかもしれず、故に、満足のゆかないユーザエクスペリエンスをもたらすかもしれない。
【０００７】
更に、制御チャネルはコンテンツフローが存在するか否か及びそのＲＦチャネル位置についての動的な情報も搬送するので、特定のコンテンツフローの受信に関心のある受信機は所望のコンテンツフローの位置（即ち、ＲＦチャネル）を判定するためにネットワークによって使用される全てのＲＦチャネル上の制御チャネルを定期的に監視する必要がある。しかしながら、全てのＲＦチャネルを監視することは、現在デコードされているフローの妨げとなることにより、または、フローの獲得が失敗となることにより、デバイス動作への悪影響があるだろう。更に、たとえ受信機が全てのＲＦチャネルの監視を試みようとも、受信機が１つのＲＦチャネルから獲得した情報が、受信機がその他のＲＦチャネルを監視している間に新鮮さを失わないという保証は全くない。
【０００８】
故に、特定のコンテンツに関連するＲＦチャネルを素早くかつ効率的に識別することにより垂直マルチ周波数ネットワークにおける高速なチャネル切り替え能力を手助けするように動作するシステムを持つことが望ましいだろう。
【発明の概要】
【０００９】
１つまたは複数の態様において、方法及び装置を備える、切り替えシステムは、垂直多重周波数ネットワークにおいて特定のコンテンツフローに関連付けられたＲＦチャネルを素早くかつ効率的に識別する。一態様において、切り替えシステムは、ローカル領域における複数のＲＦチャネルによって搬送されるフローに関連する情報を集約する。集約された情報は、ローカル領域で使用されるＲＦチャネルに関連する制御チャネル上でその領域におけるデバイスへ送信される１つまたは複数のオーバーヘッドメッセージを生成するために処理される。オーバーヘッドメッセージを受信するデバイスは、特定のフローの利用可能性及び利用可能となるかもしれない複数のＲＦチャネルに関しての当該特定フローの位置を判定できる。オーバーヘッドメッセージは、デバイスに、各ＲＦチャネルからのフロー位置情報を受信及びデコードすることなく、特定のフローのＲＦ位置を素早く判定することを可能にする。結果として、切り替えシステムは、高速なＲＦチャネル切り替えを容易にして、ユーザエクスペリエンスの向上を提供する。
【００１０】
一態様において、方法が、マルチ周波数ネットワークにおけるＲＦチャネル切り替えのために提供される。上記方法は、垂直多重（ＶＭ）セット及び統合された多重（ＵＭ）セットのうちの一方であって１つまたは複数のコンテンツフローを備える多重セットを識別することと、１つまたは複数のＲＦ搬送波周波数を１つまたは複数のコンテンツフローに夫々関連付ける、多重セットに関連するオーバーヘッドメッセージを生成することと、マルチ周波数ネットワーク上で少なくとも１つのオーバーヘッドメッセージを送信することとを備える。
【００１１】
一態様において、装置が、マルチ周波数ネットワークにおけるＲＦチャネル切り替えのために提供される。上記装置は１つまたは複数のコンテンツフローを備える少なくとも１つの多重セットを識別するように構成される多重セット生成器を備え、多重セットはＶＭ及びＵＭセットのうちの一方である。上記装置は、１つまたは複数のＲＦ搬送波周波数を１つまたは複数のコンテンツフローに夫々関連付ける、多重セットに関連する少なくとも１つのオーバーヘッドメッセージを生成するように構成されるメッセージングロジック及びマルチ周波数ネットワーク上で少なくとも１つのオーバーヘッドメッセージを送信するように構成される出力ロジックも備える。
【００１２】
一態様において、装置が、マルチ周波数ネットワークにおけるＲＦチャネル切り替えのために提供される。上記装置は１つまたは複数のコンテンツフローを備える少なくとも１つの多重セットを識別するための手段を備え、多重セットはＶＭセット及びＵＭセットのうちの一方である。上記装置は、１つまたは複数のＲＦ搬送波周波数を１つまたは複数のコンテンツフローに夫々関連付ける、多重セットに関連する少なくとも１つのオーバーヘッドメッセージを生成するための手段及びマルチ周波数ネットワーク上で少なくとも１つのオーバーヘッドメッセージを送信するための手段も備える。
【００１３】
一態様において、コンピュータに、ＶＭセット及びＵＭセットのうちの一方であって１つまたは複数のコンテンツフローを備える少なくとも１つの多重セットを識別させるための、コードの第１のセットと、上記コンピュータに、１つまたは複数のＲＦ搬送波周波数を１つまたは複数のコンテンツフローに夫々関連付ける、多重セットに関連する少なくとも１つのオーバーヘッドメッセージを生成させるための、コードの第２のセットと、上記コンピュータに、マルチ周波数ネットワーク上で少なくとも１つのオーバーヘッドメッセージを送信させるための、コードの第３のセットとを具体化する機械可読媒体を備えるコンピュータプログラム製品が提供される。
【００１４】
一態様において、マルチ周波数ネットワークにおけるＲＦチャネル切り替えを提供するように構成される少なくとも１つの集積回路が提供される。上記少なくとも１つの集積回路は、ＶＭセット及びＵＭセットのうち一方であって１つまたは複数のコンテンツフローを備える少なくとも１つの多重セットを識別するための第１のモジュールと、１つまたは複数のＲＦ搬送波周波数を１つまたは複数のコンテンツフローに夫々関連付ける、多重セットに関連する少なくとも１つのオーバーヘッドメッセージを生成するための第２のモジュールと、マルチ周波数ネットワーク上で少なくとも１つのオーバーヘッドメッセージを送信するための第３のモジュールとを備える。
【００１５】
一態様において、方法が、マルチ周波数ネットワークにおけるＲＦチャネル切り替えのために提供される。上記方法は、１つまたは複数のコンテンツローを１つまたは複数のＲＦ搬送波周波数に夫々関連付けるオーバーヘッドメッセージを受信することと、選択されたコンテンツフローを識別するチャネル切り替えイベントを検出することと、少なくとも１つのオーバーヘッドメッセージに基づいて、選択されたコンテンツフローに関連付けられた、選択されたＲＦ搬送波周波数を判定することと、選択されたコンテンツフローを受信するために選択されたＲＦ搬送波周波数に切り替えることとを備える。
【００１６】
一態様において、装置が、マルチ周波数ネットワークにおけるＲＦチャネル切り替えのために提供される。上記装置は、１つまたは複数のコンテンツフローを１つまたは複数のＲＦ搬送波周波数に夫々関連付ける少なくとも１つのオーバーヘッドメッセージを受信するように構成される入力ロジックを備える。上記装置は、選択されたコンテンツフローを識別するチャネル切り替えイベントを検出し、少なくとも１つのオーバーヘッドメッセージに基づいて、選択されたコンテンツフローに関連付けられた、選択されたＲＦ搬送波周波数を判定し、選択されたコンテンツフローを受信するために選択されたＲＦ搬送波周波数に切り替えるように構成される処理ロジックも備える。
【００１７】
一態様において、装置が、マルチ周波数ネットワークにおけるＲＦチャネル切り替えのために提供される。上記装置は、１つまたは複数のコンテンツフローを１つまたは複数のＲＦ搬送波周波数に夫々関連付ける少なくとも１つのオーバーヘッドメッセージを受信するように構成される入力ロジックと、選択されたコンテンツフローを識別するチャネル切り替えイベントを検出し、少なくとも１つのオーバーヘッドメッセージに基づいて、選択されたコンテンツフローに関連付けられた、選択されたＲＦ搬送波周波数を判定し、選択されたコンテンツフローを受信するために選択されたＲＦ搬送波周波数に切り替えるように構成される処理ロジックとを備える。
【００１８】
一態様において、装置が、マルチ周波数ネットワークにおけるＲＦチャネル切り替えのために提供される。上記装置は、１つまたは複数のコンテンツフローを１つまたは複数のＲＦ搬送波周波数に夫々関連付ける少なくとも１つのオーバーヘッドメッセージを受信するための手段と、選択されたコンテンツフローを識別するチャネル切り替えイベントを検出するための手段と、少なくとも１つのオーバーヘッドメッセージに基づいて、選択されたコンテンツフローに関連付けられた、選択されたＲＦ搬送波周波数を判定するための手段と、選択されたコンテンツフローを受信するために選択されたＲＦ搬送波周波数に切り替えるための手段とを備える。
【００１９】
一態様において、コンピュータプログラム製品が、マルチ周波数ネットワークにおけるＲＦチャネル切り替えのために提供される。上記コンピュータプログラム製品は、コンピュータに、１つまたは複数のコンテンツフローを１つまたは複数のＲＦ搬送波周波数に夫々関連付ける少なくとも１つのオーバーヘッドメッセージを受信させるための、コードの第１のセットと、上記コンピュータに、選択されたコンテンツフローを識別するチャネル切り替えイベントを検出させるための、コードの第２のセットと、上記コンピュータに、少なくとも１つのオーバーヘッドメッセージに基づいて、選択されたコンテンツフローに関連付けられた、選択されたＲＦ搬送波周波数を判定させるための、コードの第３のセットと、上記コンピュータに、選択されたコンテンツフローを受信するために選択されたＲＦ搬送波周波数に切り替えさせるための、コードの第４のセットとを具体化する機械可読媒体を備える。
【００２０】
一態様において、マルチ周波数ネットワークにおけるＲＦチャネル切り替えを提供するように構成されている少なくとも１つの集積回路が提供される。上記少なくとも１つの集積回路は、１つまたは複数のコンテンツフローを１つまたは複数のＲＦ搬送波周波数に夫々関連付ける少なくとも１つのオーバーヘッドメッセージを受信するための第１のモジュールと、選択されたコンテンツフローを識別するチャネル切り替えイベントを検出するための第２のモジュールと、少なくとも１つのオーバーヘッドメッセージに基づいて、選択されたコンテンツフローに関連付けられた、選択されたＲＦ搬送波周波数を判定するための第３のモジュールと、選択されたコンテンツフローを受信するために選択されたＲＦ搬送波周波数に切り替えるための第４のモジュールとを備える。
【００２１】
その他の態様は、以下に説明される図面の簡単な説明（Brief Descriptions of the Drawings）、発明を実施するための形態（Description）及び特許請求の範囲（Claims）の検討ののちに明らかとなるであろう。
【００２２】
本願明細書において記述される先の態様は、添付図面が併用された場合に以下の発明を実施するための形態（Description）の参照によって、更に容易に明らかとなるだろう。
【図面の簡単な説明】
【００２３】
【図１】図１は、２つのワイドエリア領域上でのコンテンツの分配を説明するネットワーク図を示す。
【図２】図２は、図１において説明される２つのローカルオペレーションインフラストラクチャによって利用されるＲＦチャネルの割り当てを説明する図を示す。
【図３】図３は、選択されたローカルエリア上での多重の分配を説明する多重分配図を示す。
【図４】図４は、切り替えシステムの一態様を備えるネットワークを示す。
【図５】図５は、切り替えシステムの複数の態様における使用のための送信フレームの図を示す。
【図６】図６は、切り替えシステムの態様における使用のためのアグリゲーションロジックの例を示す。
【図７】図７は、切り替えシステムの複数の態様における使用のためのＲＦ記述メッセージの一例を説明する図を示す。
【図８】図８は、切り替えシステムの複数の態様における使用のためのフロー記述メッセージの一例を説明する図を示す。
【図９】図９は、切り替えシステムの一態様における使用のためのオーバーヘッドメッセージの生成及び分配の一例を説明する図を示す。
【図１０】図１０は、切り替えシステムの複数の態様における使用のための、アグリゲーションロジックを動かすための方法の一例を示す。
【図１１】図１１は、切り替えシステムの複数の態様における使用のために構成されたフロー選択ロジックの一例を示す。
【図１２】図１２は、切り替えシステムの複数の態様におけるデバイスでの使用のための方法を示す。
【図１３】図１３は、切り替えシステムの複数の態様における使用のための、統合されたフロー記述メッセージの一例を示す。
【図１４】図１４は、切り替えシステムの複数の態様における使用のための、統合されたＲＦ記述メッセージの一例を示す。
【図１５】図１５は、切り替えシステムの複数の態様における使用のためのアグリゲーションロジックの一例を示す。
【図１６】図１６は、切り替えシステムの複数の態様における使用のためのフロー選択ロジックの一例を示す。
【発明を実施するための形態】
【００２４】
１つまたは複数の態様において、切り替えシステムが、マルチ周波数ネットワークにおける高速チャネル切り替えのために提供される。一態様において、切り替えシステムは、複数のＲＦチャネルを用いる、ワイド及びローカル領域での分配のために設計される、コンテンツフローに関連するフロー情報を集約する。集約された情報及び関連するフローは、夫々の指定された領域での分配のために送信される。集約された情報を受信するデバイスは、特定のフローが利用可能であるかどうかと、ＶＭＦＮにおける関連するＲＦチャネルを判定できる。この情報を用いれば、デバイスはＶＭＦＮにおいて利用可能となるかもしれない各ＲＦチャネルに関する個別のフロー位置情報を受信及びデコードしなくてよいので、デバイスは高速なチャネル切り替えを実行できる。上記システムは、無線ネットワーク環境における使用に適しているが、限定でなく、通信ネットワーク、インターネットなどの公衆ネットワーク、仮想プライベートネットワーク（ＶＰＮ）などのプライベートネットワーク、ローカルエリアネットワーク、ワイドエリアネットワーク、長距離ネットワークまたは任意のその他の類型のデータネットワークを含む、任意の類型のネットワーク環境において使用されてよい。
【００２５】
（定義）  
以下の定義は、切り替えシステムの態様を記述するために本願明細書において使用される。  
１．ローカルエリア−建物、建物のグループ、共同体(community)、市(city)、郡(country)またはサービスがブロードキャストされ得るその他のローカル領域などの局所的な地理的領域を参照する。  
２．ワイドエリア−郡、州、複数の州、国、複数の国またはサービスがブロードキャストされ得るその他のワイド領域などの広大な地理的領域を参照する。  
３．多重／コンテンツ多重−コンテンツフローのグルーピングを参照する。  
４．ワイドエリア多重−少なくとも１つのワイドエリアでブロードキャストされるコンテンツフローのグルーピングを参照する。  
５．ローカルエリア多重−少なくとも１つのローカルエリアでブロードキャストされるコンテンツフローのグルーピングを参照する。  
６．ワイドオペレーションインフラストラクチャ（ＷＯＩ）−ワイドエリア上でコンテンツフローを送信するために動作する送信機及び関連するシステムのグルーピングを参照する。ＷＯＩは、ワイドエリア多重を搬送できる最小の地理的なワイドエリアをマッピングする。ワイドエリア多重は、１つまたは複数のＷＯＩによってブロードキャストされてよい。  
７．ローカルエリアオペレーションインフラストラクチャ（ＬＯＩ）−ローカルエリア上でコンテンツフローを送信するために動作する送信機及び関連するシステムのグルーピングを参照する。ＬＯＩは、ローカルエリア多重を搬送できる最小の地理的なローカルエリアをマッピングする。ローカルエリア多重は、１つまたは複数のＬＯＩによってブロードキャストされてよい。  
８．ＲＦチャネル−選択されたＬＯＩを用いてコンテンツ分配波形を伝達するために使用されるチャネルを参照する。  
９．コンテンツチャネル−特定の分配波形内の一組のコンテンツフローを参照する。例えば、分配波形は複数のコンテンツチャネルを備えてよく、各コンテンツチャネルは１つまたは複数のコンテンツフローを備えてよい。
【００２６】
（頭字語）  
以下の頭字語は、切り替えシステムの態様を記述するために本願明細書において使用される。  
ＬＭ−ローカルエリア多重  
ＷＭ−ワイドエリア多重  
ＮＯＣ−ネットワークオペレーションセンター  
ＬＯＣ−ローカルオペレーションセンター  
ＬＯＩ−ローカルオペレーションインフラストラクチャ  
ＷＯＩ−ワイドオペレーションインフラストラクチャ  
ＶＭ−垂直多重  
ＵＭ−統合された多重  
ＦＤＭ−フロー記述メッセージ  
ＲＤＭ−ＲＦ記述メッセージ  
ＵＦＤＭ−統合されたフロー記述メッセージ  
ＵＲＤＭ−統合されたＲＦ記述メッセージ
（導入）  
図１は、２つのワイドエリア領域でのコンテンツフローの分配を説明するネットワーク図１００を示す。例えば、ＷＭ１（１０２）は、第１のＷＯＩ１０４及び第２のＷＯＩ１０６に分配される。第１のＷＯＩ１０４は、１０８、１１０及び１１２に示される、３つのＬＯＩを備えている。第２のＷＯＩ１０６も、１１４、１１６及び１１８に示される、３つのＬＯＩを備えている。ＷＭ２（１２０）は第１のＷＯＩ１０４に分配され、ＷＭ３（１２２）は第２のＷＯＩ１０６に分配される。更に、ＬＭ１（１２４）は、ＬＯＩ１０８及び１１０に分配され、ＬＭ２（１２６）はＬＯＩ１１２及び１１４に分配され、ＬＭ３（１２８）はＬＯＩ１１６及び１１８に分配される。更に、ＬＭ４（１３０）はＬＯＩ１１４及びＬＯＩ１１６に分配され、ＬＭ５（１３２）はＬＯＩ１１８に分配される。図１において示される各ＬＯＩは、夫々の関連したローカル領域で、記載されている多重をブロードキャストするために少なくとも２つのＲＦチャネルを利用することが想定される。
【００２７】
図２は、図１において説明される２つのＬＯＩによって利用されるＲＦチャネルの割り当てを説明する図（２００）を示す。例えば、ＬＯＩ１０８及び１１０によって利用されるＲＦチャネルが図（２００）に示されている。ＬＯＩ１０８は、第１のチャネル（ＲＦ１）及び第３のチャネル（ＲＦ３）を利用する。ＬＯＩ１１０は、第２のチャネル（ＲＦ２）及び第４のチャネル（ＲＦ４）を利用する。
【００２８】
ＲＦチャネルの各々は、選択されたコンテンツ及び／またはサービスを伝達するために使用される１つまたは複数の多重を搬送する。例えば、ＲＦ１チャネルはＬＯＩ１０８によってＷＭ１（１０２）及びＬＭ１（１２４）を伝達するために使用されてよく、ＲＦ３チャネルはＬＯＩ１０８によってＷＭ２（１２２）を伝達するために使用されてよい。
【００２９】
図３は、切り替えシステムの態様における選択されたローカルエリア上の多重の分配を説明する多重分配図（３００）を示す。例えば、図（３００）は、図１において示されるネットワーク１００上の多重の分配を説明する。各ローカルエリアでは、ワイド及びローカルエリア多重を搬送する２つのＲＦチャネルがある。例えば、ＬＯＩ１（１０８）において、２つのＲＦチャネルは、ワイドエリア多重（ＷＭ１及びＷＭ２）を夫々、及び、ローカルエリア多重（ＬＭ１）を搬送するＲＦ１及びＲＦ３である。各ローカルエリアにおいて搬送される多重は、図（３００）から判定可能である。
【００３０】
（多重セット）  
切り替えシステムの複数の態様において、多重セットを形成する、コンテンツ多重の一意的な組み合わせが定義される。多重セット内のコンテンツ多重に属する全てのフローは、その多重セットに関連付けられている。多重セットの一類型は、垂直多重（ＶＭ）セットとして参照される。ＶＭセットは、ＬＯＩで搬送されるコンテンツ多重の一意的な組み合わせとして定義される。同一のＶＭセットが複数のＬＯＩまたはＷＯＩによって搬送されてもよい。ＶＭセットは、ワイドエリア多重及びローカルエリア多重の両方に関して定義されてネットワーク１００の各ローカルエリアに分配される。一態様において、ローカルＶＭセットは選択されたローカル領域に分配される全てのローカル多重を備え、ワイドＶＭセットは選択されたワイド領域に分配される全てのワイド多重を備える。例えば、図３を参照すると、ワイドエリア（ＷＯＩ１）に関してワイドＶＭセットが３０２に示されており、ローカルエリア（ＬＯＩ５）に関してローカルＶＭセットが３０４に示されている。図３で説明されるように、全てのワイドエリアに関する一意的なワイドＶＭセットは以下のように定義される。  
【数１】
2010522518.tif 000003
【００３１】
図３で更に説明されるように、全てのローカルエリアに関する一意的なローカルＶＭセットは以下のように定義される。  
【数２】
2010522518.tif 000004
【００３２】
一態様において、統合された多重（ＵＭ）セットとして参照される、多重セットの別の類型が定義される。ＵＭセットは、オーバーラップが除去されるまでオーバーラップしているＶＭセットを組み合わせることにより形成される。ＵＭセットは、ワイド及びローカル多重に関して別個に定義される。例えば、図３において説明される多重に関して、ワイドＵＭセットは、前述されたオーバーラップしているワイドＶＭセットを組み合わせることにより以下のように生成される。  
【数３】
2010522518.tif 000005
【００３３】
一態様において、ローカルＵＭセットは、オーバーラップしているローカルＶＭセットを組み合わせることにより以下のように形成される。  
【数４】
2010522518.tif 000006
【００３４】
（実装）  
図４は、切り替えシステムの複数の態様を備えるネットワーク４００を示す。例えば、ネットワーク４００は図１において示されるネットワーク１００の一部であってよい。ネットワーク４００は、ネットワークオペレーションセンター（ＮＯＣ）４０２、送信所４０４及び４０８、ＬＯＩ４０６及びデバイス４３２を備える。
【００３５】
ＮＯＣ４０２は、マルチ周波数ネットワークの選択されたワイド及びローカルエリアでの分配のために、ワイド及びローカルコンテンツ多重を受信する。例えば、ＮＯＣ４０２は、コンテンツを分配するようにマルチ周波数ネットワークを設定する。これを達成するために、ＮＯＣ４０２はネットワークの地理的な領域、各領域で使用されるＲＦチャネル、ワイド及びローカルコンテンツ多重を分配するために必要とされるかもしれない任意のその他のネットワーク情報について既知である。
【００３６】
一態様において、ＮＯＣ４０２は、アグリゲーションロジック４１０を備える。アグリゲーションロジック４１０は、前述のようなワイド及びローカル多重セットを決定する。例えば、マルチ周波数ネットワーク４００の選択されたワイド及びローカル領域へ分配されるワイド及びローカル多重の一意的な組み合わせを識別する、ワイド及びローカルＶＭセットが生成される。アグリゲーションロジック４１０は、ＶＭセットに含まれるワイド及びローカル多重に関する情報を１つまたは複数のオーバーヘッドメッセージに集約する。オーバーヘッドメッセージは、各多重におけるフロー及び多重のフローが分配されるＲＦチャネルを記述する。例えば、オーバーヘッドメッセージは、ワイド及びローカル多重セットに関して別個に生成される。アグリゲーションロジック４１０によって生成されるオーバーヘッドメッセージのより詳細な記述は、本文書の別の項において提供される。
【００３７】
ＮＯＣ４０２は、送信所４０４及び４０８へワイド及びローカル多重と生成されたオーバーヘッドメッセージとを送信する。２つの送信所のみが示されているが、ＮＯＣ４０２は多重及び関連するオーバーヘッドメッセージを任意の数のローカル及び／またはワイドな地理的領域の任意の数の送信所へ送信してよいことに注意されたい。
【００３８】
一態様において、ＮＯＣ４０２は、４１２に説明されるように、任意の適した伝送体系を用いて送信所４０４及び４０８へ多重及びオーバーヘッドメッセージを送信する。例えば、一態様において、ＮＯＣ４０２は、ＭＰＥＧ−２の伝送体系を用いて送信所へ多重及びオーバーヘッドメッセージを送信する。この構成において、各送信所が適切な多重及びオーバーヘッドメッセージを検出及び受信できるように、多重及びオーバーヘッドメッセージはＭＰＥＧ−２伝送識別子を割り当てられる。
【００３９】
一態様において、送信所４０４及び４０８のサーバ４１４及び４１６は、夫々、どの多重及びオーバーヘッドメッセージがＬＯＩ４０６で送信することを意図されているかを判定するために伝送識別子を使用する。サーバ４１４及び４１６は、それらの各自の多重及びオーバーヘッドメッセージを、夫々、ＬＯＩ４０６での送信のための送信フレーム４１８及び４２０に詰め込む。サーバ４１４及び４１６は、送信のための送信フレーム４１８及び４２０に多重及びオーバーヘッドメッセージを詰め込むために、任意の適した物理レイヤ処理を利用する。ＬＯＩ４０６での送信が意図されている多重及びオーバーヘッドメッセージを判定するために伝送識別子を使用することにより、サーバ４１４及び４１６は多重及びオーバーヘッドメッセージのいずれもデコードする必要が無い。サーバ４１４及び４１６は、適切な伝送識別子を検出し、受信した多重及びオーバーヘッドメッセージを物理レイヤ処理に従って送信フレームに詰め込むだけでよい。
【００４０】
送信フレームは、ワイド及びローカル多重に関連したフロー及びアグリゲーションロジック４１０によって生成されたオーバーヘッドメッセージを備える。一態様において、送信フレームは、夫々、ワイド及びローカルコンテンツフローを伝達するために使用されるワイド及びローカルパーティションを備える。更に、ワイド及びローカルパーティションは、ワイド及びローカル制御チャネルを備える。ワイド及びローカル制御チャネルは、選択された、アグリゲーションロジック４１０によって生成されたオーバーヘッドメッセージを伝達するために使用される。
【００４１】
一態様において、送信所４０４は第１のＲＦチャネル４２２を用いてＬＯＩ４０６でその送信フレーム４１８を送信し、送信所４０８は第２のＲＦチャネル４２６を用いてＬＯＩ４０６でその送信フレーム４２０を送信する。２つの送信所４０４、４０８が同一場所に配置されてもされなくてもよいことと、時刻同期しているものの異なる送信フレームが各ＲＦチャネル上で送信されることに注意されたい。複数のＲＦチャネルを使用することは、ＬＯＩ４０６でより多くのコンテンツフローが送信されることを可能にする。送信フレーム４１８及び４２０は夫々、ＮＯＣ４０２の作用によって判定されるように、選択されたワイド及びローカル多重からのコンテンツフローを備える。更に、送信フレーム４１８及び４２０は夫々、デバイス４３２へ選択されたオーバーヘッドメッセージを伝達するためのワイド及びローカル制御チャネルを備える。
【００４２】
別の態様において、ＮＯＣ４０２と同様に構築されているローカルエリアオペレーションセンター（４３０）が、選択的に使用されてよい。この態様において、ＮＯＣ４０２は送信所へワイドエリア多重及び関連するオーバーヘッドメッセージを供給し、ＬＯＣ４３０は送信所へローカルエリア多重及び関連するオーバーヘッドメッセージを供給する。前述の構成のいずれにおいても、送信所４０４及び４０８は、それらの各自の送信フレームにおいてＬＯＩ４０６に分配すべきワイド及びローカル多重及び関連するオーバーヘッドメッセージはどれかを判定できる。
【００４３】
デバイス４３２では、デバイス４３４は選択された送信フレームを受信するために選択されたＲＦチャネルに同調する受信機４３６を備える。例えば、受信機４３６は、送信フレーム４１８を受信するためにＲＦチャネル４２２に同調する。受信機４３６は、送信フレーム４２０を受信するためにＲＦチャネル４２６に同調されてもよい。受信機４３６が同調されるＲＦチャネルに関わらず、受信される送信フレームはアグリゲーションロジック４１０によって生成されたオーバーヘッドメッセージを伝達するワイド及びローカル制御チャネルを備える。
【００４４】
受信機４３６は、ＬＯＩ４０６内のＲＦチャネルで送信される全てのフローの利用可能性(availability)及びＲＦチャネル位置についての情報を作るためにオーバーヘッドメッセージをデコードするフロー選択ロジック４３８へオーバーヘッドメッセージを渡す。例えば、受信されたオーバーヘッドメッセージは、ＬＯＩ４０６内の全ての利用可能なＲＦチャネルで送信されている全てのワイド及びローカルコンテンツ多重に関連するフローについての情報を提供する。
【００４５】
フロー選択ロジック４３８は、チャネル切り替えイベントを受信する。チャネル切り替えイベントは、デバイス４３４に、異なるコンテンツフローを受信するために一方のＲＦチャネルから別のＲＦチャネルへの切り替えを行わせるイベントである。ＲＦチャネル切り替えはデバイスによって受信される異なるＲＦチャネル間での切り替えを参照することと、コンテンツチャネル切り替えはデバイスにおいて受信されるコンテンツチャネル間での切り替えを参照することに注意されたい。コンテンツチャネル切り替えは、所望コンテンツチャネルが異なるＲＦで搬送されているならば、ＲＦチャネル切り替えをもたらすだろう。ＲＦチャネル切り替えは、異なるＲＦ上のコンテンツの獲得を試みるデバイスのプログラムによっても始められ得る。本記述の意図に関して、チャネル切り替えイベントはデバイスにおいてＲＦチャネル切り替えを引き起こすイベントである。
【００４６】
一態様において、チャネル切り替えイベントは、デバイスユーザ要求またはデバイス４３４において実行中のプログラムによって生成される要求を備えるかもしれない。ＬＯＩ４０６における全てのフローのＲＦチャネル位置は受信されたオーバーヘッドメッセージに基づきデバイス４３４に知られているので、デバイス４３４はチャネル切り替えイベントに応じて要求されたＲＦチャネルへ素早く切り替えることができる。デバイス４３４はその現在のＲＦチャネル上でオーバーヘッドメッセージを受信しているので、どのコンテンツフローが利用可能であるかを判定するために全ての利用可能なＲＦチャネル上の各制御チャネルをデコードする必要がない。故に、システムは、高速なフロー位置及びＲＦチャネル切り替え機能を容易にする。
【００４７】
故に、切り替えシステムの複数の態様は、デバイスが、選択されたフローの利用可能性及びＬＯＩにおけるフローのＲＦチャネル位置を素早く判定して、マルチ周波数ネットワークにおける高速なチャネル切り替えを容易にすることを可能にする。ネットワーク４００は切り替えシステムの単なる一つの実装を説明していることと、その他の実装は種々の態様の範囲内で可能であることに注意されたい。
【００４８】
図５は、切り替えシステムの複数の態様における使用のための送信フレーム５００の図を示す。例えば、送信フレーム５００は、ワイド及びローカルコンテンツ多重及びオーバーヘッドメッセージを用いて詰め込められ、図４に示される送信所４０４及び４０８によって送信されてよい。
【００４９】
送信フレーム５００は、一般に５０２で示され、ワイド及びローカルコンテンツを伝達するために使用される４つのサブフレームを備える。例えば、各サブフレーム５０２は、ワイドエリアコンテンツを用いて詰め込まれたワイドエリアパーティション５０４と、ローカルエリアコンテンツを用いて詰め込まれたローカルエリアパーティション５０６とを備える。
【００５０】
ワイドエリアパーティション５０４に含まれるものは、ワイドエリア制御チャネル５０８である。ワイドエリア制御チャネル５０８は、ワイドエリアコンテンツ多重に関連するオーバーヘッドメッセージを伝達する。ローカルエリアパーティション５０６に含まれるものは、ローカルエリア制御チャネル５１０である。ローカルエリア制御チャネル５１０は、ローカルエリアコンテンツ多重に関連するオーバーヘッドメッセージを伝達する。
【００５１】
送信フレーム５００の始まりは、ワイドエリア制御チャネル、ローカルエリア制御チャネル、サブフレーム５０２に詰め込まれるワイド及びローカルコンテンツフローを捜し出すために使用されるオーバーヘッド情報を提供するオーバーヘッド情報シンボル（ＯＩＳ）５１２である。
【００５２】
図６は、切り替えシステムの複数の態様における使用のためのアグリゲーションロジック６００の例を示す。例えば、アグリゲーションロジック６００は、図４に示されるアグリゲーションロジック４１０としての使用に適する。アグリゲーションロジック６００は、全てデータバス６１０に連結された、メッセージングロジック６０２、多重セット生成器６０４、多重入力ロジック６０６及び出力ロジック６０８を備える。
【００５３】
多重入力ロジック６０６は、ＣＰＵ、プロセッサ、ゲートアレイ、ハードウェアロジック、メモリ要素及び／またはソフトウェアを実行するハードウェアのうち少なくとも１つを備える。多重入力ロジック６０６は、マルチ周波数分配ネットワークのワイド及び／またはローカル領域で分配されることになる１つまたは複数のワイド及び／またはローカルエリア多重６１２を受信する。
【００５４】
多重セット生成器６０４は、ＣＰＵ、プロセッサ、ゲートアレイ、ハードウェアロジック、メモリ要素及び／またはソフトウェアを実行するハードウェアのうち少なくとも１つを備える。多重セット生成器６０４は、多重入力ロジック６０６によって受信されるワイド及びローカル多重６１２の意図される分配に基づいて１つまたは複数のワイド及びローカルＶＭセットを生成する。一態様において、多重セット生成器６０４は、生成されたワイド及びローカルＶＭセットに基づいて１つまたは複数のＵＭセットを生成する。例えば、多重セット生成器６０４は、図３を参照して前述したようにＶＭ及びＵＭセットを生成する。
【００５５】
メッセージングロジック６０２は、ＣＰＵ、プロセッサ、ゲートアレイ、ハードウェアロジック、メモリ要素及び／またはソフトウェアを実行するハードウェアのうち少なくとも１つを備える。メッセージングロジック６０２は、切り替えシステムの複数の態様における使用のためのオーバーヘッドメッセージを生成する。一態様において、メッセージングロジック６０２は、多重セット生成器６０４によって生成されたＶＭセットに含まれるコンテンツフローの利用可能性及びＲＦチャネル位置を記述するフロー記述メッセージ（ＦＤＭ）及びＲＦ記述メッセージ（ＲＤＭ）を生成する。別の態様において、メッセージングロジック６０２は、多重セット生成器６０４によって生成されたＵＭセットに含まれるコンテンツフローの利用可能性及びＲＦチャネル位置を記述する、統合されたフロー記述メッセージ（ＵＦＤＭ）及び統合されたＲＦ記述メッセージ（ＵＲＤＭ）を生成する。例えば、ＵＲＤＭメッセージは特定のＵＭセットに関連付けられる全てのＬＯＩに関するＲＦチャネル識別子を提供する。ＦＤＭ、ＵＦＤＭ、ＲＤＭ及びＵＲＤＭメッセージの更なる詳細な記述は、本文書の他の項において提供される。
【００５６】
出力ロジック６０８は、ＣＰＵ、プロセッサ、ゲートアレイ、ハードウェアロジック、メモリ要素及び／またはソフトウェアを実行するハードウェアのうち少なくとも１つを備える。出力ロジック６０８は、マルチ周波数ネットワークにおけるＬＯＩへの分配のためのコンテンツ多重（即ち、多重セット）及びオーバーヘッドメッセージを出力する。
【００５７】
一態様において、切り替えシステムは、少なくとも１つのプロセッサ、例えばアグリゲーションロジック６００におけるプロセッサによる実行時に本願明細書に記述される機能を提供する、機械可読媒体に保存または具体化された１つまたは複数のプログラム命令（「命令(instructions)」）または「コード」のセットを備えるコンピュータプログラム製品を備える。例えば、コードのセットは、フロッピー（登録商標）ディスク、ＣＤＲＯＭ、メモリカード、ＦＬＡＳＨメモリデバイス、ＲＡＭ、ＲＯＭまたはアグリゲーションロジック６００にインタフェースで連結する任意のその他の類型の機械可読媒体などの機械可読媒体からアグリゲーションロジック６００へロードされてよい。別の態様において、コードのセットは、外部デバイスまたはネットワークリソースからアグリゲーションロジック６００にダウンロードされてよい。コードのセットは、実行時に、本願明細書において記述されるような切り替えシステムの複数の態様を提供する。
【００５８】
図７は、切り替えシステムの複数の態様における使用のためのＲＦ記述メッセージ７０００の一例を説明する図を示す。例えば、ＲＤＭ７００は、図６に示されるメッセージングロジック６０２によって生成される。
【００５９】
一態様において、ＲＤＭ７００は各ＬＯＩに関して別個に生成され、ＲＦチャネル識別子７０２を選択された多重を伝達するために選択されたＬＯＩ内で利用されるＲＦ搬送波周波数７０４に関連付けるように構成される。故に、２つのＲＦ搬送波周波数を利用するＬＯＩにおいて、ＲＤＭはＲＦチャネル識別子７０２を２つのＲＦ搬送波周波数に関連付ける２つのエントリを持つことになるだろう。一態様において、ＲＤＭは複数のＬＯＩに関して同様に生成され得る。
【００６０】
図８は、切り替えシステムの複数の態様における使用のためのフロー記述メッセージ８００の一例を説明する図を示す。例えば、ＦＤＭ８００は、図６に示されるメッセージングロジック６０２によって生成される。
【００６１】
一態様において、ＦＤＭ８００は各ワイド及びローカルＶＭセットに関して別個に生成され、フロー識別子８０２をＲＦチャネル識別子８０４に関連付けるように構成される。例えば、一態様において、ＲＦチャネル識別子８０４は、図７に示されるＲＤＭ７００によって提供されるＲＦチャネル識別子７０２である。故に、別個のＦＤＭ８００が各ワイド及びローカルＶＭセットに関して提供され、ワイド及びローカルＶＭセットによって提供されるコンテンツフローを伝達するＲＦチャネルを識別する。
【００６２】
（実施例）  
図９は、切り替えシステムの複数の態様における使用のための、オーバーヘッドメッセージの生成及び分配の一例を説明する図（９００）を示す。例えば、図（９００）は、切り替えシステムの複数の態様が、マルチ周波数ネットワークにおけるＬＯＩ９０８でワイドＶＭセット及びローカルＶＭセットをどのように分配するかを説明する。一態様において、図９において説明されるオーバーヘッドメッセージは、図６に示されるメッセージングロジック６０２によって生成される。
【００６３】
本例のために、マルチ周波数ネットワークがＬＯＩ９０８においてデバイスへワイド及びローカルＶＭセットをブロードキャストするために２つのＲＦ搬送波周波数（ＲＦ１、ＲＦ２）を利用することが仮定される。ワイドＶＭセットは、第１及び第２のワイド多重（ＷＭ１、ＷＭ２）を備え、ここで、ＷＭ１はフロー１、２を備え、ＷＭ２はフロー３、４を備える。ローカルＶＭセットは、第１及び第２のローカル多重（ＬＭ１、ＬＭ２）を備え、ここで、ＬＭ１はフロー５を備え、ＬＭ２はフロー６を備える。コンテンツ多重がＬＯＩ９０８内での分配のために送信フレームに詰め込まれていることも仮定される。例えば、送信フレーム９１０は、ワイド及びローカルコンテンツを用いて詰め込まれ、搬送波周波数ＲＦ１で送信される。更に、送信フレーム９１２は、ワイド及びローカルコンテンツを用いて詰め込まれ、搬送波周波数ＲＦ２で送信される。一態様において、送信フレーム９１０及び９１２は、図５に示される送信フレーム５００としてフォーマットされる。
【００６４】
一態様において、アグリゲーションロジック６００は、ワイドＦＤＭメッセージ９０２、ローカルＦＤＭメッセージ９０４及びＲＤＭメッセージ９０６を生成するためにワイド及びローカルＶＭセットからの情報を集約する。ワイドＦＤＭメッセージ９０２は、ワイドＶＭセットのフロー１−４をＲＦチャネル識別子（０，１）に関連付ける。ワイドＦＤＭメッセージ９０２は、送信フレーム９１０のワイドエリアパーティション９１６及び送信フレーム９１２のワイドエリアパーティション９１８で提供されるワイド制御チャネル９１４においてＬＯＩ９０８で分配される。
【００６５】
一態様において、ローカルＦＤＭメッセージ９０４はフロー５−６をＲＦチャネル識別子（０，１）に関連付ける。ローカルＦＤＭメッセージ９０４は、送信フレーム９１０のローカルエリアパーティション９２２及び送信フレーム９１２のローカルエリアパーティション９２４で提供されるローカル制御チャネル９２０においてＬＯＩ９０８で分配される。
【００６６】
ＲＤＭメッセージ９０６は、ＲＦチャネル識別子（０，１）を、ＬＯＩ９０８において使用されるＲＦ搬送波周波数（ＲＦ１，ＲＦ２）に夫々関連付ける。一態様において、ＲＤＭメッセージ９０６は、送信フレーム９１０及び９１２の一部であるローカル制御チャネル９２０においてＬＯＩ９０８で分配される。しかしながら、ＲＤＭメッセージ９０６は、ワイド制御チャネル９１４においてＬＯＩ９０８で分配され得ることに注意されたい。ＦＤＭ（９０２，９０４）における情報を用いてＲＤＭ９０６における情報に相互参照をつけることにより、ＲＤＭメッセージ９０６は、受信デバイスに、特定のワイドまたはローカルコンテンツフローを送信するためにどのＲＦ搬送波周波数がＬＯＩ９０８において使用されているかを判定することを可能にさせる。
【００６７】
一態様において、ＵＲＤＭメッセージは、本文書の異なる項で検討されるが、ＲＦチャネル識別子を複数のＬＯＩにおいて使用されるＲＦ搬送波周波数に関連付ける。しかしながら、ＲＤＭメッセージがＬＯＩ毎の原則で生成されるときに、ＮＯＣ４０２は、効率向上のため、ＦＤＭメッセージのサイズを最適化するためにＶＭセットにおいて同一のワイドコンテンツ多重を搬送するＲＦ搬送波周波数は同一のＲＦチャネル識別子を割り当てられるようにＲＦチャネル識別子を割り当てるであろうことにも注意されたい。
【００６８】
故に、切り替えシステムは、ワイド及びローカルＶＭセットに関連する情報を、ワイド及びローカル制御チャネルにおいてＬＯＩで分配されるオーバーヘッドメッセージに集約する。集約された情報はＬＯＩ９０８における任意のＲＦチャネルに同調されたデバイスによって受信されるので、全てのデバイスはＬＯＩ９０８において分配される任意のフローの利用可能性及びＲＦチャネル位置を判定するためにオーバーヘッドメッセージを受信及びデコードできる。故に、デバイスはＬＯＩ９０８内で伝達されるコンテンツフローの利用可能性及び位置を判定するために複数のＲＦ周波数で情報をデコードする必要がないので、切り替えシステムは高速なＲＦチャネル位置及びＲＦチャネルの切り替えを容易にする。
【００６９】
図１０は、切り替えシステムの複数の態様における使用のための、アグリゲーションロジックを動かすための方法１０００の一例を示す。明瞭さのために、方法１０００は、図６に示されるアグリゲーションロジック６００を参照して本願明細書において記述される。例えば、一態様において、プロセッサは、アグリゲーションロジック６００を制御して以下に記述される機能を実行するために、コードの１つまたは複数のセットを実行する。別の態様において、以下に記述される機能を実行するように構成された１つまたは複数のモジュールを備える少なくとも１つの集積回路が提供される。
【００７０】
ブロック１００２では、１つまたは複数のワイド及び／またはローカル多重が、マルチ周波数ネットワークでの分配のために受信される。例えば、多重が、図６に示される多重入力ロジック６０６において受信される。
【００７１】
ブロック１００４では、受信された多重の分配が決定される。例えば、ＮＯＣ４０２は選択されたＷＯＩ及びＬＯＩへのワイド及びローカル多重の分配を決定する。一態様において、ＮＯＣ４０２は、どの多重が各ＬＯＩへ配信されることになるか及びどのＲＦ搬送波周波数が各ＬＯＩ内の各多重のコンテンツフローを配信するために使用されることになるかを決定する。
【００７２】
ブロック１００６では、ワイド及びローカル多重セットが決定される。例えば、分配ネットワークにおける各ＬＯＩに関して、ワイド及びローカルＶＭセットが決定される。一態様において、ＵＭセットも決定される。一態様において、多重セット生成器６０４は、ワイド及びローカルＶＭ及び／またはＵＭセットを決定する。例えば、ＶＭ及びＵＭセットは図３に関して前述されたように決定される。
【００７３】
ブロック１００８では、ワイド及びローカルＦＤＭ及び／またはＵＦＤＭオーバーヘッドメッセージが生成される。例えば、ＶＭセットからの情報が、図８に示されるようにフォーマットされた、ワイド及びローカルＦＤＭメッセージに集約される。同様の処理が、ＵＦＤＭメッセージを生成するためにＵＭセットに実行される。一態様において、メッセージングロジック６０２は、ワイド及びローカルＦＤＭ及び／またはＵＦＤＭオーバーヘッドメッセージを生成する。
【００７４】
ブロック１０１０では、ＲＤＭ及び／またはＵＲＤＭオーバーヘッドメッセージが生成される。例えば、ＲＤＭメッセージは、図７に示されるようにフォーマットされる。一態様において、メッセージングロジック６０２は、ＲＤＭ及び／またはＵＲＤＭオーバーヘッドメッセージを生成する。ＵＲＤＭメッセージの記述は、別の項で提供される。
【００７５】
ブロック１０１２では、オーバーヘッドメッセージ及び多重セットにおける多重が、マルチ周波数ネットワークにおける送信のために送信所へ出力される。一態様において、出力ロジック６１４は、オーバーヘッドメッセージ及び多重セットのコンテンツフローを送信所へ出力する。例えば、オーバーヘッドメッセージ及びコンテンツフローは、ＭＰＥＧ−２伝送体系を用いて送信所へ送信される。
【００７６】
故に、方法１０００は、切り替えシステムの一態様を提供する。方法１０００は単なる一つの実装を表していることと、その他の実装は複数の態様の範囲内で可能であることに注意されたい。
【００７７】
図１１は、切り替えシステムの複数の態様における使用のためのフロー選択ロジック１１００の一例を示す。例えば、フロー選択ロジック１１００は、図４に示されるフロー選択ロジック４３８としての使用に適している。フロー選択ロジック１１００は、全てデータバス１１０８に結合される、処理ロジック１１０２、オーバーヘッドメッセージデコーダ１１０４、制御チャネル入力ロジック１１０６を備える。
【００７８】
制御チャネル入力ロジック１１０６は、ＣＰＵ、プロセッサ、ゲートアレイ、ハードウェアロジック、メモリ要素及び／またはソフトウェアを実行するハードウェアのうち少なくとも１つを備える。制御チャネル入力ロジック１１０６は、デバイスが現在同調されているＲＦチャネルで受信されたワイド及びローカル制御チャネルデータを取得し、このデータをオーバーヘッドメッセージデコーダ１１０４へ渡す。例えば、ワイド及びローカル制御チャネルデータは、図５に説明されるような、受信された送信フレームの一部であるワイド及びローカル制御チャネルから受信される。
【００７９】
オーバーヘッドメッセージデコーダ１１０４は、ＣＰＵ、プロセッサ、ゲートアレイ、ハードウェアロジック、メモリ要素及び／またはソフトウェアを実行するハードウェアのうち少なくとも１つを備える。一態様において、オーバーヘッドメッセージデコーダ１１０４は、受信されたワイド及びローカル制御チャネルデータにおけるオーバーヘッドメッセージをデコードする。例えば、オーバーヘッドメッセージデコーダ１１０４は、ワイド及びローカル制御チャネルデータで受信された、ワイドＦＤＭ、ローカルＦＤＭ、ワイド及びローカルＵＦＤＭ、ＲＤＭ及びＵＲＤＭメッセージをデコードする。
【００８０】
オーバーヘッドメッセージデコーダ１１０４は、ワイドＦＤＭ、ローカルＦＤＭ、ワイド及びローカルＵＦＤＭ、ＲＤＭ及びＵＲＤＭメッセージをデコードし、デバイスの現在のＬＯＩ内のコンテンツフローの利用可能性及びＲＦチャネル位置を判定するためにメッセージ中の情報に相互参照をつける。例えば、図９に説明されるようにフォーマットされたワイドＦＤＭメッセージは、現在のＬＯＩ内のワイドエリアコンテンツフローに関連付けられるＲＦチャネル識別子を判定するためにデコードされる。図９に説明されるようにフォーマットされたローカルＦＤＭメッセージは、現在のＬＯＩ内のローカルエリアコンテンツフローに関連付けられるＲＦチャネル識別子を判定するためにデコードされる。図９に説明されるようにフォーマットされたＲＤＭメッセージは、ＲＦチャネル識別子と現在のＬＯＩ内で使用されている実際のＲＦ搬送波周波数との間のマッピングを判定するためにデコードされる。この情報は、処理ロジック１１０２へ渡される。
【００８１】
処理ロジック１１０２は、ＣＰＵ、プロセッサ、ゲートアレイ、ハードウェアロジック、メモリ要素及び／またはソフトウェアを実行するハードウェアのうち少なくとも１つを備える。一態様において、処理ロジック１１０２は、デバイスユーザ、実行中のアプリケーションプログラムまたはＲＦチャネル切り替えイベントが受信されるその他のロジックにインタフェースで連結する。例えば、デバイスユーザは、現在のＲＦとは異なるＲＦ上で搬送されている特定のコンテンツフローを視聴するためにＲＦチャネル切り替えを要求するかもしれない。処理ロジック１１０２は、所望のコンテンツフローを受信するための新たなＲＦチャネルへデバイスを切り替えさせるチャネル切り替えメッセージを生成することにより要求に応答する。例えば、チャネル切り替えメッセージは、デバイスの送受信機に送信されてよい。処理ロジック１１０２はメッセージデコーダ１１０４からＬＯＩにおける全てのコンテンツフローのＲＦチャネル位置を受信しているので、チャネル切り替えメッセージは所望のフローのＲＦ搬送波周波数及び識別子を備える。この情報を用いて、デバイスは、複数のＲＦチャネルがどのコンテンツフローを含んでいるかを判定するために当該複数のＲＦチャネルからの情報を受信及びデコードすることなく、所望のフローを受信するための所望のＲＦチャネルへ素早く切り替えることができる。故に、チャネル切り替え時間は削減され、これはユーザエクスペリエンスの向上を提供する。
【００８２】
一態様において、切り替えシステムは、少なくとも１つのプロセッサ、例えばフロー選択ロジックにおけるプロセッサによる実行時に本願明細書において記述される機能を提供する、機械可読媒体に保存または具体化された１つまたは複数のプログラム命令（「命令(instructions)」）または「コード」のセットを備えるコンピュータプログラム製品を備える。例えば、コードのセットは、フロッピーディスク、ＣＤＲＯＭ、メモリカード、ＦＬＡＳＨメモリデバイス、ＲＡＭ、ＲＯＭまたはフロー選択ロジック１１００とインタフェースで連結する任意の他の類型の機械可読媒体などの機械可読媒体からフロー選択ロジック１１００にロードされてよい。別の態様において、コードのセットは、外部のデバイスまたはネットワークリソースからフロー選択ロジック１１００にダウンロードされてよい。コードのセットは、実行時に、フロー選択ロジック１１００に本願明細書において記述されるような切り替えシステムの複数の態様を提供させる。
【００８３】
図１２は、切り替えシステムの複数の態様におけるデバイスでの使用のための方法１２００の一例を示す。明瞭さのために、方法１２００は、図１１に示されるフロー選択ロジック１１００を参照して本願明細書において記述される。例えば、一態様において、処理ロジック１１０２は、フロー選択ロジック１１００を制御して以下に記述される機能を実行するためにコードの１つまたは複数のセットを実行する。
【００８４】
ブロック１２０２では、ワイド及びローカル制御チャネルデータが受信される。一態様において、ワイド及びローカル制御チャネルデータは、制御チャネル入力ロジック１１０６によって受信される。例えば、ワイド及びローカル制御チャネルデータは、図５に説明されるような一連の送信フレーム中でデバイスにおいて受信される。
【００８５】
ブロック１２０４では、ワイド及びローカルＦＤＭ及び／またはＵＦＤＭメッセージがデコードされる。一態様において、ワイド及びローカルＦＤＭ／ＵＦＤＭメッセージは、制御チャネルデータの一部として受信される。ワイド及びローカルＦＤＭメッセージは、図８に説明されるようにフォーマットされる。ワイド及びローカルＵＦＤＭは、メッセージは、図１３に説明されるようにフォーマットされる。ワイド及びローカルＦＤＭ／ＵＦＤＭメッセージは、コンテンツフローをＲＦチャネル識別子と関連付ける。一態様において、オーバーヘッドメッセージデコーダ１１０４は、ワイド及びローカルＦＤＭ／ＵＦＤＭメッセージをデコードする。結果として、ＬＯＩでワイド及びローカル多重によって提供されるコンテンツフロー及びコンテンツフローとＲＦチャネル識別子との間の関連性が判定される。
【００８６】
ブロック１２０６では、ＲＤＭ／ＵＲＤＭメッセージがデコードされる。一態様において、ＲＤＭ／ＵＲＤＭメッセージはワイドまたはローカル制御チャネルデータの一部として受信される。ＲＤＭメッセージは図７に説明されるようにフォーマットされ、ＵＲＤＭメッセージは図１４に説明されるようにフォーマットされる。ＲＤＭ／ＵＲＤＭメッセージは、ＲＦチャネル識別子を１つのＬＯＩにおいて（ＲＤＭ）または複数のＬＯＩにおいて（ＵＲＤＭ）コンテンツを送信するために使用されるＲＦ搬送波周波数と関連付ける。一態様において、オーバーヘッドメッセージデコーダ１１０４は、ＲＤＭ／ＵＲＤＭメッセージをデコードする。結果として、ＲＦチャネル識別子と関連付けられたＲＦ搬送波周波数が判定される。
【００８７】
ブロック１２０８では、ＲＦチャネル切り替えイベントが受信されたかどうかについて判定がなされる。例えば、ＲＦチャネル切り替えイベントがデバイスユーザからまたは実行中のプログラムから受信されるかもしれない。一態様において、処理ロジック１１０２は、ＲＦチャネルが受信されているかどうか及び所望コンテンツフローの同一性を判定する。ＲＦチャネル切り替えイベントが受信されているならば、方法はブロック１２１０へ進む。ＲＦチャネル切り替えイベントが受信されていないならば、方法はブロック１２１４で終了する。
【００８８】
ブロック１２１０では、ＦＤＭ／ＵＦＤＭ及びＲＤＭ／ＵＲＤＭからの情報が所望コンテンツフローの同一性に基づいて相互参照をつけられ、そのＲＦ搬送波周波数が判定される。処理ロジック１１０２はＬＯＩにおける全てのコンテンツフローのＲＦチャネル位置を知っているので、チャネル切り替えイベントが受信されるときに、処理ロジック１１０２はＲＦチャネル識別子を判定するためにＦＤＭ／ＵＦＤＭメッセージからの情報を用いてチャネル切り替えイベントにおいて提供されるフロー識別子に相互参照をつける。処理ロジック１１０２は、それから、チャネル識別子に相互参照をつけて実際のＲＦ搬送波周波数を判定するために、受信されたＲＤＭ／ＵＲＤＭメッセージからの情報を使用する。
【００８９】
ブロック１２１２では、受信されたチャネル切り替えイベントに応答して高速なＲＦチャネル切り替えが行われる。一態様において、処理ロジック１１０２は、フロー識別子及び関連するＲＦ位置（即ち、搬送波周波数）を提供するチャネル切り替えメッセージを生成及び出力する。チャネル切り替えメッセージは、所望のコンテンツフローを受信するために新たなＲＦチャネルへデバイスを切り替えさせる。この情報を用いて、デバイスにおける受信機（即ち、受信機４３８）は、所望のフローを受信するための所望のＲＦチャネルに素早く切り替えることができる。故に、所望のコンテンツフローの利用可能性及び位置を判定するために複数のＲＦ搬送波周波数をデコードする必要がないので、チャネル切り替え時間は最小化される。
【００９０】
故に、方法１２００は、切り替えシステムの一態様を提供する。方法１２００は単なる一つの実装を表していることと、その他の実装が複数の態様の範囲内で可能であることに注意されたい。
【００９１】
（ＵＭセットに関するオーバーヘッドメッセージ生成）  
別の態様において、オーバーヘッドメッセージは、ＵＭセットに基づいて生成される。一態様において、多重セット生成器６０４はＵＭセットを生成し、メッセージングロジック６０２はＵＭセットに基づいて以下に記述されるオーバーヘッドメッセージを生成する。例えば、図３及び上記検討を再度参照すると、以下のワイド及びローカルＵＭセットが決定された。  
【数５】
2010522518.tif 000007
【００９２】
一態様において、ＵＦＤＭメッセージは、これらのＵＭセットに基づいて生成される。例えば、ＷＭ１、ＷＭ２及びＷＭ３が分配されることになる全てのＬＯＩに基づいて、ＵＭＳＷ１の全てのフロー（即ち、ＷＭ１、ＷＭ２及びＷＭ３におけるフロー）をＲＦチャネル識別子に関連付けるワイドＵＦＤＭメッセージが生成される。更に、ＬＭ１が分配されることになる全てのＬＯＩに基づいて、ＵＭＳＬ１の全てのフロー（即ち、ＬＭ１のフロー）をＲＦチャネル識別子に関連付けるローカルＵＦＤＭメッセージが生成される。ＬＭ２、ＬＭ３、ＬＭ４、ＬＭ５が分配されることになる全てのＬＯＩに基づいて、ＵＭＳＬ２の全てのフロー（即ち、ＬＭ２、ＬＭ３、ＬＭ４、ＬＭ５）をＲＦチャネル識別子に関連付ける別のＵＲＤＭメッセージが生成される。
【００９３】
一態様において、ＵＲＤＭメッセージは、ＵＭセット及び当該ＵＭセットが分配されるＬＯＩに基づいて生成される。例えば、ＵＲＤＭメッセージは、生成され、特定のＵＭセットに関連付けられる各ＬＯＩにおいて送信される。故に、ＵＭＳL２に関して、ＲＦチャネル識別子を、ＵＭＳL２を分配する全てのＬＯＩに関するＲＦ搬送波周波数に関連付けるＵＲＤＭメッセージが生成される。他のＵＭセットに関して生成されるＵＲＤＭメッセージについても同じである。
【００９４】
結果として、ＵＦＤＭ及びＵＲＤＭメッセージの使用は、効率性、複雑性の低減、コストの節約を提供する。例えば、ＵＦＤＭメッセージを使用することにより、各ＶＭセットのためにＦＤＭメッセージを生成しなくてもよいかもしれない。ＵＲＤＭメッセージを使用することにより、各ＬＯＩのためにＲＤＭメッセージを生成しなくてもよいかもしれない。即ち、例えば、ＵＦＤＭ及びＵＲＤＭメッセージの使用は、ＮＯＣロジック及び送信所ロジックが単純化されることを意味する。例えば、ネットワーク送信機は特定の制御チャネルメッセージのフィルタリングをサポートする必要がないだろうから、それらの複雑性は低減され得る。
【００９５】
故に、オーバーヘッドメッセージは、ＶＭセット及びＵＭセットの任意の組み合わせに基づいて生成されてよく、どの技術が使用されるかの決定はマルチ周波数ネットワークの配置に依存するだろう。
【００９６】
図１３は、切り替えシステムの複数の態様における使用のための、統合されたＦＤＭメッセージ（ＵＦＤＭ）１３００の一例を示す。例えば、ＵＦＤＭ１３００は、図６に示されるメッセージングロジック６０２によって生成され、前述のＵＭＳＷ１に基づくＵＦＤＭを説明する。例えば、本例のために、ＵＭＳＷ１がＷＭ１（フロー１、２）、ＷＭ２（フロー３、４）及びＷＭ３（フロー５、６）を備えることが仮定される。
【００９７】
一態様において、ＵＦＤＭメッセージは各ワイド及びローカルＵＭセットに関して別個に生成され、フロー識別子１３０２をＲＦチャネル識別子１３０４に関連付けるように構成される。一態様において、ＵＦＤＭメッセージは、基礎をなす(underlying)多重セットを分配することになる全てのＬＯＩへ送信される。例えば、ＵＦＤＭ１３００は、前述のＵＭＳＷ１に基づいており、基礎をなす多重（即ち、ＷＭ１−ＷＭ３）が全てのＬＯＩ（即ち、ＬＯＩ１−ＬＯＩ６）へ分配されるので、図３に説明されるようにそれらのＬＯＩへ分配されることになる（ワイド制御チャネルの一部として）。ＵＭＳＬ１から生成されたＵＦＤＭに関して、ＬＯＩ１及びＬＯＩ２が基礎をなす多重ＬＭ１を受信することになるので、このＵＦＤＭは図３に説明されるようにこれらのＬＯＩへ分配されるだろう。更に、ＵＭＳＬ２から生成されたＵＦＤＭに関して、ＬＯＩ３乃至ＬＯＩ６が基礎をなす多重ＬＭ２、ＬＭ３、ＬＭ４、ＬＭ５を受信することになるので、このＵＦＤＭはこれらのＬＯＩへ分配されるだろう。
【００９８】
図１４は、切り替えシステムの複数の態様における使用のための、統合されたＲＤＭメッセージ（ＵＲＤＭ）１４００の一例を示す。例えば、ＵＲＤＭ１４００は、図６に示されるメッセージングロジック６０２によって生成され、前述のＵＭＳＷ１に基づくＵＲＤＭを説明する。ＵＲＤＭメッセージは、ワイドまたはローカルＵＭセットに関連するＬＯＩに関して生成され、関連するＵＭセットをカバーする全てのＬＯＩにおけるワイドまたはローカル制御チャネルの一部として分配され得る。
【００９９】
一態様において、ＵＲＤＭメッセージ１４００は、ＲＦチャネル識別子１４０４を、基礎をなすＵＭセットが分配されることになる全てのＬＯＩ１４０２に関するＲＦ周波数搬送波１４０６に割り当てるよう構成される。例えば、ＵＲＤＭ１４００は、前述のＵＭＳＷ１に基づいて生成され、基礎をなす多重（即ち、ＷＭ１−ＷＭ３）が全てのＬＯＩ（即ち、ＬＯＩ１−ＬＯＩ６）へ分配されるので、図３に説明されるようにこれらのＬＯＩへ分配されることになる。
【０１００】
一態様において、ＵＲＤＭ１４００は、ＵＭセット内で異なる多重を搬送するＲＦ搬送波周波数が同一のチャネル識別子を割り当てられないようＲＦチャネル識別子が割り当てられるように、生成される。これは、所与のコンテンツフローが、そのフローに関するＲＦ位置を決定するときに、所与のＲＦ中心周波数に一意的に関連付けられることを保証する。
【０１０１】
図１５は、切り替えシステムの複数の態様における使用のためのアグリゲーションロジック１５００の一例を示す。例えば、アグリゲーションロジック１５００は、図６に示されるアグリゲーションロジック６００としての使用に適している。一態様において、アグリゲーションロジック１５００は、本願明細書において記述されるような切り替えシステムの複数の態様を提供するように構成される１つまたは複数のモジュールを備える少なくとも１つの集積回路によって実装される。
【０１０２】
アグリゲーションロジック１５００は、１つまたは複数のコンテンツフローを備える多重セットを識別するための手段（１５０２）を備える第１のモジュールを備え、この多重セットは垂直多重（ＶＭ）セット及び統合された多重（ＵＭ）セットのうちうちの一方である。一態様において、手段１５０２は、多重セット生成器６０４を備える。アグリゲーションロジック１５００は、１つまたは複数のＲＦ搬送波周波数を１つまたは複数のコンテンツフローに夫々関連付ける、多重セットに関連付けられた少なくとも１つのオーバーヘッドメッセージを生成するための手段（１５０４）を備える第２のモジュールも備える。一態様において、手段１５０４は、メッセージングロジック６０２を備える。アグリゲーションロジック１５００は、マルチ周波数ネットワークで少なくとも１つのオーバーヘッドメッセージを送信するための手段（１５０６）を備える第３のモジュールを備える。一態様において、手段１５０６は、出力ロジック６０８を備える。
【０１０３】
図１６は、切り替えシステムの複数の態様における使用のためのフロー選択ロジックの一例を示す。例えば、フロー選択ロジックは、図１１に示されるフロー選択ロジック１１００としての使用に適している。一態様において、フロー選択ロジック１６００は、本願明細書に記述されるような切り替えシステムの複数の態様を提供するように構成される１つまたは複数のモジュールを備える少なくとも１つの集積回路によって実装される。
【０１０４】
フロー選択ロジック１６００は、１つまたは複数のコンテンツフローを１つまたは複数のＲＦ搬送波周波数に夫々関連付ける少なくとも１つのオーバーヘッドメッセージを受信するための手段（１６０２）を備える第１のモジュールを備える。一態様において、手段１６０２は、制御チャネル入力ロジック１１０６を備える。フロー選択ロジック１６００は、選択されたコンテンツフローを識別するチャネル切り替えイベントを検出するための手段（１６０４）を備える第２のモジュールも備える。一態様において、手段１６０４は、処理ロジック１１０２を備える。フロー選択ロジック１６００は、少なくとも１つのオーバーヘッドメッセージに基づいて選択されたコンテンツフローに関連付けられる、選択されたＲＦ搬送波周波数を判定するための手段（１６０６）を備える第３のモジュールも備える。一態様において、手段１６０６は処理ロジック１１０２を備える。フロー選択ロジック１６００は、選択されたコンテンツフローを受信するために選択されたＲＦ搬送波周波数に切り替えるための手段（１６０８）を備える第４のモジュールも備える。一態様において、手段１６０８は処理ロジック１１０２を備える。
【０１０５】
本願明細書において開示される複数の態様に関連して記述された種々の実例となるロジック、論理ブロック、モジュール及び回路は、汎用プロセッサ、ＤＳＰ（digital signal processor）、ＡＳＩＣ（application specific integrated circuit）、ＦＰＧＡ（field programmable gate array）またはその他のプログラム可能な論理デバイス、個別ゲートまたはトランジスタロジック、個別ハードウェア要素、または本願明細書において記述される機能を実行するように設計されたそれらの任意の組み合わせを用いて実装または実行されてよい。汎用プロセッサは、マイクロプロセッサであってよいが、代替的には、プロセッサは任意の従来型のプロセッサ、コントローラ、マイクロコントローラまたは状態機械であってよい。プロセッサは、コンピューティングデバイスの組み合わせ、例えば、ＤＳＰ及びマイクロプロセッサの組み合わせ、複数のマイクロプロセッサ、ＤＳＰコアと連結した１つまたは複数のマイクロプロセッサまたは任意のその他のそのような構成として実装されてもよい。
【０１０６】
本願明細書において開示される複数の態様に関連して記述される方法またはアルゴリズムのステップは、ハードウェアにおいて、プロセッサによって実行されるソフトウェアモジュールにおいて、または両者の組み合わせにおいて直接的に具体化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭまたは技術分野において知られている任意のその他の形式の記憶媒体に存在してよい。典型的な記憶媒体はプロセッサに連結され、プロセッサは記憶媒体から情報を読み出し可能であり、記憶媒体に情報を書き込み可能である。或いは、記憶媒体はプロセッサに一体化されてよい。プロセッサ及び記憶媒体は、ＡＳＩＣに存在してよい。ＡＳＩＣは、ユーザ端末に存在してよい。或いは、プロセッサ及び記憶媒体は、ユーザ端末において個別コンポーネントとして存在してよい。
【０１０７】
開示される複数の態様の記述は、任意の当業者が本発明を製造または使用できるように提供される。これらの態様への種々の変形が当業者に直ちに明らかとなるだろうし、本願明細書において定められる総括的な原理は、本発明の精神または範囲から逸脱することなく、他の態様、例えば、インスタントメッセージングサービスまたは任意の一般的な無線データ通信アプリケーションへ適用されてよい。即ち、本発明は、本願明細書に示される態様へ限定されることを意図されておらず、本願明細書に開示される原理及び新規な特徴に一致する最も広い範囲が与えられるべきである。「典型的（exemplary）」という用語は、本願明細書においてもっぱら「例、事例または実例として役立つ（serving as an example, instance, or illustration）」を意味するために使用される。「典型的(exemplary)」として本願明細書において記述される任意の態様は、必ずしも、他の態様よりも好ましいまたは有利であるとして解釈されなくてよい。
【０１０８】
従って、切り替えシステムの複数の態様が本願明細書において説明及び記述されてきたが、それらの精神または本質的特徴から逸脱することなく上記態様へ種々の変更がなされ得ることが理解されるだろう。故に、本願明細書における開示及び記述は、説明に役立つことを意図されているが、以下の特許請求の範囲において説明される本発明の範囲を限定しない。
【図１】
2010522518.tif 000008
【図２】
2010522518.tif 000009
【図３】
2010522518.tif 000010
【図４】
2010522518.tif 000011
【図５】
2010522518.tif 000012
【図６】
2010522518.tif 000013
【図７】
2010522518.tif 000014
【図８】
2010522518.tif 000015
【図９】
2010522518.tif 000016
【図１０】
2010522518.tif 000017
【図１１】
2010522518.tif 000018
【図１２】
2010522518.tif 000019
【図１３】
2010522518.tif 000020
【図１４】
2010522518.tif 000021
【図１５】
2010522518.tif 000022
【図１６】
2010522518.tif 000023
【国際調査報告】
2010522518.tif 000024
2010522518.tif 000025
2010522518.tif 000026